(57)【要約】  光学的情報記録に瓦記録を適用した場合でも、符号長に対応した記録マークを正しく形成することができ、情報を正確に再生することができる光学的情報記録媒体及び光学的情報記録装置を提供する。光学的情報記録媒体（１）は、レーザ光が照射されることにより光感応性記録材料の光学的特性が変化して情報が記録されるユーザ領域（１０２）を備え、ユーザ領域（１０２）は、記録マーク（１０６）の一部が上書きされることにより情報が記録される記録トラック（１０４）と、同心円状又はスパイラル状であり、レーザ光が照射されることにより発生する熱を遮断する断熱領域（１０５）とを含み、断熱領域（１０５）は、記録トラック（１０４）の間に形成される。
2012114710.tif 000002
【特許請求の範囲】
【請求項１】
レーザ光が照射されることにより光感応性記録材料の光学的特性が変化して情報が記録されるユーザ領域を備え、
前記ユーザ領域は、
記録マークの一部が上書きされることにより情報が記録される記録トラックと、
同心円状又はスパイラル状であり、前記レーザ光が照射されることにより発生する熱を遮断する第１の断熱領域とを含み、
前記第１の断熱領域は、前記記録トラックの間に形成されることを特徴とする光学的情報記録媒体。
【請求項２】
前記レーザ光が照射されることにより形成される光スポットの中心は、前記記録トラックの中心からずれていることを特徴とする請求項１記載の光学的情報記録媒体。
【請求項３】
前記第１の断熱領域の熱伝導率は、前記記録トラック中の前記光感応性記録材料が存在する領域の熱伝導率よりも低いことを特徴とする請求項１又は２記載の光学的情報記録媒体。
【請求項４】
前記第１の断熱領域中の前記光感応性記録材料の組成及び／又は厚さは、前記レーザ光が照射されることにより発生する熱を遮断するように、前記記録トラック中の前記光感応性記録材料の組成及び／又は厚さと異なることを特徴とする請求項１〜３のいずれかに記載の光学的情報記録媒体。
【請求項５】
前記第１の断熱領域は前記光感応性記録材料を有しないことを特徴とする請求項１〜３のいずれかに記載の光学的情報記録媒体。
【請求項６】
前記第１の断熱領域の記録トラック方向に垂直な平面の断面形状は、凸形状又は凹形状であることを特徴とする請求項１〜５のいずれかに記載の光学的情報記録媒体。
【請求項７】
前記第１の断熱領域及び前記記録トラックは、前記レーザ光を反射する反射膜を含み、
前記第１の断熱領域中の前記反射膜の組成及び／又は厚さは、前記レーザ光が照射されることにより発生する熱を遮断するように、前記記録トラック中の前記反射膜の組成及び／又は厚さと異なることを特徴とする請求項１〜６のいずれかに記載の光学的情報記録媒体。
【請求項８】
前記記録トラックは、所定の長さの記録単位で複数の記録領域に分割され、
前記ユーザ領域は、
前記複数の記録領域の各記録領域の間に設けられ、前記レーザ光が照射されることにより発生する熱を遮断する第２の断熱領域をさらに含むことを特徴とする請求項１〜７のいずれかに記載の光学的情報記録媒体。
【請求項９】
前記記録トラックは、第１の記録トラックと、前記第１の記録トラックに隣接する第２の記録トラックとを含み、
前記第１の記録トラックの各記録領域の間に設けられた前記第２の断熱領域の記録トラック方向の位置の中心は、前記第２の記録トラックの前記記録領域の中心と一致することを特徴とする請求項８記載の光学的情報記録媒体。
【請求項１０】
前記光学的情報記録媒体は、前記ユーザ領域上における前記レーザ光の走査位置をガイドするためのガイドトラックを含むガイド領域をさらに備え、
前記ユーザ領域と前記ガイド領域とは、前記記録トラックの方向に周期的に形成され、
前記ガイドトラックのトラックピッチは、前記記録トラックのトラックピッチよりも広いことを特徴とする請求項１〜９のいずれかに記載の光学的情報記録媒体。
【請求項１１】
前記ガイドトラックのトラックピッチは、前記記録トラックのトラックピッチの２倍であることを特徴とする請求項１０記載の光学的情報記録媒体。
【請求項１２】
光学的情報記録媒体に情報を記録する光学的情報記録装置であって、
レーザ光を発する光源と、
前記レーザ光を前記光学的情報記録媒体上に集光させ、前記光学的情報記録媒体によって反射された前記レーザ光を受光する集光部と、
前記集光部によって受光された前記レーザ光に基づいてトラッキング信号を検出するトラッキング検出部と、
前記トラッキング検出部によって検出された前記トラッキング信号に基づいてトラッキング位置を決定するトラッキング位置決定部と、
前記トラッキング位置決定部によって決定された前記トラッキング位置にトラッキングするように前記集光部を制御するトラッキング制御部と、
前記情報のパターンに対応して、前記レーザ光が前記光学的情報記録媒体に与える熱量を変化させて前記情報を記録する記録部とを備え、
前記光学的情報記録媒体は、
前記レーザ光が照射されることにより光感応性記録材料の光学的特性が変化して情報が記録されるユーザ領域を備え、
前記ユーザ領域は、
記録マークの一部が上書きされることにより情報が記録される記録トラックと、
同心円状又はスパイラル状であり、前記レーザ光が照射されることにより発生する熱を遮断する第１の断熱領域とを含み、
前記第１の断熱領域は、前記記録トラックの間に形成されることを特徴とする光学的情報記録装置。
【請求項１３】
前記トラッキング制御部は、前記レーザ光が照射されることにより形成される光スポットの中心を、前記記録トラックの中心からずらすように集光部を制御することを特徴とする請求項１２記載の光学的情報記録装置。
【請求項１４】
前記記録トラックは、所定の長さの記録単位で複数の記録領域に分割され、
前記ユーザ領域は、
前記複数の記録領域の各記録領域の間に設けられ、前記レーザ光が照射されることにより発生する熱を遮断する第２の断熱領域をさらに含むことを特徴とする請求項１２又は１３記載の光学的情報記録装置。
【請求項１５】
前記記録トラックは、第１の記録トラックと、前記第１の記録トラックに隣接する第２の記録トラックとを含み、
前記第１の記録トラックの各記録領域の間に設けられた前記第２の断熱領域の記録トラック方向の位置の中心は、前記第２の記録トラックの前記記録領域の中心と一致することを特徴とする請求項１４記載の光学的情報記録装置。
【発明の詳細な説明】
【技術分野】
【０００１】
本発明は、光学的にデータが再生及び／又は記録される光学的情報記録媒体に関するもので、特に、高密度に情報が記録される光学的情報記録媒体に関するものである。
【背景技術】
【０００２】
一般的に、光ディスクをはじめとする光学的情報記録媒体では、トラックを基準として線方向に情報が記録される。光ディスクの場合には、トラックは、らせん状又は同心円状に配置される。互いに隣接するトラックの間隔はトラックピッチと呼ばれる。トラックは、物理的には、例えば溝形状になっている。光スポットがその溝をトラッキングすることにより、情報の記録又は再生が行われる。また、トラックの別の物理的な形状としては、線方向に周期的にサンプルサーボピットと呼ばれるピットが設けられている場合もある。この場合、光スポットがそのピットからの反射光に基づいて、仮想的なトラックをトレースすることにより、情報の記録又は再生が行われる。【０００３】
光ディスクでは半径方向に多数のトラックが隣接して存在しているが、それぞれのトラックに情報として記録された記録マークは互いに独立している。すなわち、あるトラックに記録された記録マークが、当該あるトラックに隣接するトラックの記録マークを消去したり、書き換えたりするおそれがある。これらの現象は、クロスイレーズとも呼ばれ、隣接するトラックの情報を正確に再生できなくするので好ましくないとされている。そのため、トラックピッチは、クロスイレーズの影響が問題とならないような十分広い距離に設定される。【０００４】
一方、磁気記録の分野では、トラックピッチを小さくする目的で瓦記録（シングル・ライト（Ｓｈｉｎｇｌｅ  ｗｒｉｔｅ））と呼ばれる記録方式が提案されている（例えば特許文献１参照）。この方式では、例えばディスクの内周側から外周側へ順次、隣接するトラックに対して情報の記録が行われる。さらに、あるトラックの記録領域の一部は、当該あるトラックに隣接するトラックの記録領域によって重ね書きされる。これにより、磁気ヘッドが実際に記録する記録領域の幅よりも狭いトラックピッチが実現される。【０００５】
しかしながら、上記の瓦記録を光記録に適用する場合、光学的情報記録媒体に記録された情報を正確に再生できないという課題が存在する。その課題について以下に説明する。【０００６】
まず、書き換え動作が行われたときに、実際に書き換えられる領域の大きさに問題がある。すなわち、書換型の光学的情報記録媒体において、あるトラックが書き換えられた場合、実際に書き換えられる領域（以下ではこれを記録領域と呼ぶ）は、記録マーク及びスペースが形成された領域よりも広くなる。例えば、相変化材料に対する記録では、記録マークの周辺には、もともと記録された情報が消去される領域が存在する。これは、アモルファスの記録マークの周辺に溶融後再結晶化した結晶領域が存在するからである。この領域は、結果的に隣接したトラックに記録された情報を消去してしまう。【０００７】
加えて、記録領域の幅が一定しないという問題がある。すなわち、光記録において、記録マーク及びスペースをどれだけの長さで形成するかは、レーザ光の照射パワーが変化することにより決定される。例えば、光学的情報記録媒体の記録膜の材料が相変化材料である場合、記録マークの形成時には、レーザパワーが最も高いパワーレベル（これはライトパワーと呼ばれる）に設定され、スペースの形成時には、レーザパワーが相対的に低いパワーレベル（これはイレーズパワー又はスペースパワーと呼ばれる）に設定される。記録マークの長さは、ライトパワーのパルスが所定の時間及び所定の個数照射されることで調整される。【０００８】
このことは、記録する情報のパターンによって、レーザ光が記録膜に与える熱量が異なることを意味する。すなわち、スペースが形成されるときの熱量は最も少なくなる。また、符号長の短い記録マークが形成される時の熱量は、スペースが形成されるときの熱量よりも多くなり、符号長の長い記録マークが形成される時の熱量はさらに多くなる。そして、あるトラックの記録膜に与えられる熱量が多いほど、隣接するトラックに伝導する熱も増えるので、記録領域の幅が大きくなり、隣接するトラックを書き換える幅も増大する。【０００９】
したがって、光学的情報記録に瓦記録を適用すると、トラックに形成された記録マークの形状は、当該トラックに隣接するトラックに記録された情報のパターンに依存して変化することになる。このことが、光学的情報記録媒体に記録された情報を正確に再生するのを困難にするという課題を有している。
【先行技術文献】
【特許文献】
【００１０】
【特許文献１】米国特許第６１８５０６３号明細書
【発明の概要】
【００１１】
本発明は上記従来の課題を解決するためになされるものであり、光学的情報記録に瓦記録を適用した場合でも、符号長に対応した記録マークを正しく形成することができ、情報を正確に再生することができる光学的情報記録媒体及び光学的情報記録装置を提供するものである。
【００１２】
本発明の一局面に係る光学的情報記録媒体は、レーザ光が照射されることにより光感応性記録材料の光学的特性が変化して情報が記録されるユーザ領域を備え、前記ユーザ領域は、記録マークの一部が上書きされることにより情報が記録される記録トラックと、同心円状又はスパイラル状であり、前記レーザ光が照射されることにより発生する熱を遮断する第１の断熱領域とを含み、前記第１の断熱領域は、前記記録トラックの間に形成される。
【００１３】
この構成によれば、ユーザ領域において、レーザ光が照射されることにより光感応性記録材料の光学的特性が変化して情報が記録される。そして、記録トラックは、記録マークの一部が上書きされることにより情報が記録される。第１の断熱領域は、同心円状又はスパイラル状であり、レーザ光が照射されることにより発生する熱を遮断する。第１の断熱領域は、記録トラックの間に形成される。
【００１４】
本発明によれば、隣接する記録トラックに記録マークが形成される際にレーザ光が照射されることにより発生する熱が既に記録マークが形成されている記録トラックに伝達するのを抑制することができるので、光学的情報記録に瓦記録を適用した場合でも、符号長に対応した記録マークを正しく形成することができ、情報を正確に再生することができる。
【００１５】
本発明の目的、特徴及び利点は、以下の詳細な説明と添付図面とによって、より明白となる。
【図面の簡単な説明】
【００１６】
【図１】本発明の実施の形態における光学的情報記録媒体の全体構成を示す模式図である。
【図２】本発明の実施の形態における光学的情報記録媒体のフォーマットを説明するための図である。
【図３】本発明の実施の形態の第１の変形例における光学的情報記録媒体の全体構成を示す模式図である。
【図４】本発明の実施の形態において光学的情報記録媒体のユーザ領域の具体的な構成を示す図である。
【図５】本発明の実施の形態の第２の変形例における光学的情報記録媒体のユーザ領域の具体的な構成を示す図である。
【図６】本発明の実施の形態の第３の変形例における光学的情報記録媒体のユーザ領域の具体的な構成を示す図である。
【図７】本発明の実施の形態の第４の変形例における光学的情報記録媒体のユーザ領域の具体的な構成を示す図である。
【図８】本発明の実施の形態における光学的情報記録装置の構成を示すブロック図である。
【図９】（Ａ）は、本実施の形態において、１トラック目の記録トラックに情報が記録された後の状態を示す図であり、（Ｂ）は、本実施の形態において、２トラック目の記録トラックに情報が記録された後の状態を示す図であり、（Ｃ）は、本実施の形態において、３トラック目の記録トラックに情報が記録された後の状態を示す図であり、（Ｄ）は、本実施の形態において、４トラック目の記録トラックに情報が記録された後の状態を示す図であり、（Ｅ）は、本実施の形態において、５トラック目の記録トラックに情報が記録された後の状態を示す図である。
【図１０】本発明の実施の形態の第５の変形例における光学的情報記録媒体のユーザ領域の具体的な構成を示す図である。
【図１１】図１０に示す光学的情報記録媒体の上面図である。
【図１２】（Ａ）は、記録領域の上面の形状が円形であり、かつ隣接する記録トラックの記録領域の中心が一致する場合の光学的情報記録媒体を示す上面図であり、（Ｂ）は、記録領域の上面の形状が円形であり、かつ隣接する記録トラックの記録領域の中心が一致しない場合の光学的情報記録媒体を示す上面図である。
【図１３】（Ａ）は、図１２（Ａ）に示す光学的情報記録媒体において、隣接する記録トラックに瓦記録するときにレーザ光が最大の熱量を与える点と、上書きされて形成された記録トラックの記録領域との位置関係を説明するための図であり、（Ｂ）は、図１２（Ｂ）に示す光学的情報記録媒体において、隣接する記録トラックに瓦記録するときにレーザ光が最大の熱量を与える点と、上書きされて形成された記録トラックの記録領域との位置関係を説明するための図である。
【図１４】（Ａ）は、従来において、１トラック目の記録トラックに情報が記録された後の状態を示す図であり、（Ｂ）は、従来において、２トラック目の記録トラックに情報が記録された後の状態を示す図であり、（Ｃ）は、従来において、３トラック目の記録トラックに情報が記録された後の状態を示す図であり、（Ｄ）は、従来において、４トラック目の記録トラックに情報が記録された後の状態を示す図であり、（Ｅ）は、従来において、５トラック目の記録トラックに情報が記録された後の状態を示す図である。
【発明を実施するための形態】
【００１７】
以下、添付図面を参照しながら、本発明の実施の形態について説明する。なお、以下の実施の形態は、本発明を具体化した一例であって、本発明の技術的範囲を限定するものではない。
【００１８】
図１は、本発明の実施の形態における光学的情報記録媒体の全体構成を示す模式図である。図２は、本発明の実施の形態における光学的情報記録媒体のフォーマットを説明するための図である。図３は、本発明の実施の形態の第１の変形例における光学的情報記録媒体の全体構成を示す模式図である。
【００１９】
光学的情報記録媒体１は、レーザ光が照射されることにより光感応性記録材料の光学的特性が変化して情報が記録される。光学的情報記録媒体１は、情報が記録されるユーザ領域１０２を備える。ユーザ領域１０２は、記録トラック１０４と、断熱領域１０５とを含む。記録トラック１０４は、記録マークの一部が上書きされることにより情報が記録される。断熱領域１０５は、同心円状であり、レーザ光が照射されることにより発生する熱を遮断する。断熱領域１０５は、記録トラック１０４の間に形成される。
【００２０】
また、光学的情報記録媒体１は、ユーザ領域１０２上におけるレーザ光の走査位置をガイドするためのガイド溝１０３を含むガイド領域１０１をさらに備える。ユーザ領域１０２とガイド領域１０１とは、記録トラック１０４の方向に周期的に形成される。
【００２１】
なお、本実施の形態では、ガイド溝１０３、記録トラック１０４及び断熱領域１０５は、同心円状に形成されているが、本発明は特にこれに限定されず、図３に示すように、ガイド溝１０３、記録トラック１０４及び断熱領域１０５は、スパイラル状に形成されてもよい。
【００２２】
光学的情報記録媒体１は、レーザ光の走査方向（円盤状の光学的情報記録媒体の場合には周方向）にガイド領域１０１とユーザ領域１０２とを周期的に有している。記録トラック１０４及び断熱領域１０５は、情報を記録するためのユーザ領域に形成される。ガイド領域１０１は、ユーザ領域１０２上におけるレーザ光の走査位置をガイドするためのガイド溝１０３を備える。
【００２３】
なお、図１に示す光学的情報記録媒体１は、９０度毎にガイド領域１０１を備えているが、本発明は特にこれに限定されず、１８０度毎、３６０度毎にガイド領域１０１を備えてもよい。
【００２４】
ガイド溝１０３は、ユーザ領域１０２上のどの位置でレーザ光を走査するかを決定するための基準となる。ガイド溝１０３は、同様の役割を果たせるものであれば、溝形状の代わりにピット形状であっても良いし、反射率が変化する形態であっても良い。ガイド領域１０１におけるトラッキングを容易にするために、ガイド溝１０３のピッチは、ユーザ領域１０２における記録トラック１０４のピッチよりも広いことが好ましい。また、ガイド溝１０３のピッチは、記録トラック１０４のトラックピッチの２倍であることがより好ましい。
【００２５】
本発明の実施の形態における光学的情報記録媒体１の特徴は、ユーザ領域１０２において、断熱領域１０５が、実際に瓦記録される記録トラック１０４の間に形成され、記録マーク１０６が、断熱領域１０５の間に形成されることである。光学的情報記録媒体１が断熱領域１０５を有することによる効果については後述する。
【００２６】
なお、本実施の形態において、光学的情報記録媒体１が光学的情報記録媒体の一例に相当し、ユーザ領域１０２がユーザ領域の一例に相当し、記録トラック１０４が記録トラックの一例に相当し、記録マーク１０６が記録マークの一例に相当し、断熱領域１０５が第１の断熱領域の一例に相当し、ガイド溝１０３がガイドトラックの一例に相当し、ガイド領域１０１がガイド領域の一例に相当する。
【００２７】
図４〜図７は、本発明の実施の形態において、光学的情報記録媒体のユーザ領域１０２に断熱領域１０５を形成する例を具体的に示す図である。
【００２８】
図４は、本発明の実施の形態において光学的情報記録媒体のユーザ領域の具体的な構成を示す図である。図４において、記録膜２０１は、基板２０２上に設けられている。図４では、記録トラック１０４ごとに記録膜２０１が分離されることにより、断熱領域１０５が設けられる。断熱領域１０５は光感応性記録材料を有しない。図４では、基板２０２上に記録膜２０１のみが形成されているが、記録膜２０１の代わりに、記録膜２０１を含む多層薄膜であっても良い。多層薄膜を構成する薄膜としては、例えば誘電体膜、反射膜及び界面膜がある。記録膜２０１の材料としては、相変化記録材料、色素記録材料又は光磁気記録材料などがあり、レーザ光からの熱エネルギーを用いて記録できる材料であれば良い。また、光学的情報記録媒体に多層薄膜を設ける場合、少なくとも記録膜２０１を記録トラック１０４ごとに分離させれば良く、記録膜２０１以外の薄膜は必ずしも分離していなくても良い。
【００２９】
さらに、記録膜２０１は完全に分離していなくても良く、互いに隣接する記録トラック１０４の間の領域（断熱領域１０５）の記録膜２０１の膜厚が、記録トラック１０４の中央付近の記録膜２０１の膜厚よりも薄くなっている構造であっても良い。しかし、断熱領域の効果がより大きいのは記録膜２０１が完全に分離している構造である。
【００３０】
すなわち、断熱領域１０５中の光感応性記録材料の厚さは、記録トラック１０４中の光感応性記録材料の厚さと異なってもよい。断熱領域１０５中の光感応性記録材料の厚さは、記録トラック１０４中の光感応性記録材料の厚さよりも薄くても良い。また、断熱領域１０５中の光感応性記録材料の組成は、記録トラック１０４中の光感応性記録材料の組成と異なっても良い。さらに、断熱領域１０５中の光感応性記録材料の組成及び厚さは、記録トラック１０４中の光感応性記録材料の組成及び厚さと異なっても良い。
【００３１】
なお、多層薄膜が反射膜を有する場合には、反射膜が記録トラック１０４ごとに分離していることが、断熱効果を高められるのでより好ましい。または、互いに隣接する記録トラック１０４の間の領域（断熱領域１０５）の反射膜の膜厚が、記録トラックの中央付近の反射膜の膜厚よりも薄くなっている構造であっても良い。この理由は、反射膜として一般的に熱伝導率が高い金属膜が用いられるためである。
【００３２】
すなわち、断熱領域１０５及び記録トラック１０４は、レーザ光を反射する反射膜を含んでも良い。この場合、断熱領域１０５中の反射膜の厚さは、記録トラック１０４中の反射膜の厚さと異なることが好ましく、断熱領域１０５中の反射膜の厚さは、記録トラック１０４中の反射膜の厚さより薄いことが好ましい。また、断熱領域１０５中の反射膜の組成は、記録トラック１０４中の反射膜の組成と異なっても良い。さらに、断熱領域１０５中の反射膜の組成及び厚さは、記録トラック１０４中の反射膜の組成及び厚さと異なっても良い。
【００３３】
図５は、本発明の実施の形態の第２の変形例における光学的情報記録媒体のユーザ領域の具体的な構成を示す図である。
【００３４】
図５では、記録トラックごとに記録膜２０１が分離している点は、図４と同じであるが、記録膜２０１が基板２０２に埋め込まれている点が図４と異なる。基板２０２の熱伝導率が記録膜２０１よりも低い場合には、図５に示すような構造であっても、実質的に記録トラック間に断熱領域が存在することになる。
【００３５】
つまり、断熱領域１０５の熱伝導率は、記録トラック１０４中の光感応性記録材料が存在する領域の熱伝導率よりも低いことが好ましい。
【００３６】
図６は、本発明の実施の形態の第３の変形例における光学的情報記録媒体のユーザ領域の具体的な構成を示す図である。
【００３７】
図６では、基板２０２の記録トラック間に溝が設けられ、溝が設けられた基板２０２の上に記録膜２０１が形成される。この場合、記録膜２０１は基板２０２の溝に沿うように存在する。そのため、記録膜２０１から見た互いに隣接する記録トラック１０４の距離は、溝がない場合よりも遠くなる。これにより、記録膜２０１が分離していなくとも、実質的に記録トラック１０４の間に断熱領域１０５が存在することになる。このように、断熱領域１０５の記録トラック方向に垂直な平面の断面形状は凹形状であっても良い。
【００３８】
図７は、本発明の実施の形態の第４の変形例における光学的情報記録媒体のユーザ領域の具体的な構成を示す図である。
【００３９】
図７では、基板２０２の記録トラック間に凸形状の突起部が設けられ、突起部が設けられた基板２０２の上に記録膜２０１が形成される。すなわち、断熱領域１０５の記録トラック方向に垂直な平面の断面形状は凸形状であっても良い。この場合でも、図６と同様の効果が得られる。
【００４０】
なお、多層薄膜が反射膜を有する場合には、図５〜図７の形態でも、図４の説明で述べたのと同様の理由で、反射膜は、基板２０２に埋め込まれたり、記録トラック間で凹形状に形成されたり、記録トラック間で凸形状に形成されたりすることがより好ましい。
【００４１】
次に、本発明の実施の形態における光学的情報記録装置について説明する。図８は、本発明の実施の形態における光学的情報記録装置３０１の構成を示すブロック図である。
【００４２】
図８に示す光学的情報記録装置３０１は、光源３０２、集光部３０３、回転部３０４、トラッキング検出部３０５、トラッキング維持部３０６、トラッキング制御部３０７及び記録部３０８を備える。
【００４３】
光源３０２は、レーザ光を発する。集光部３０３は、光源３０２からのレーザ光を光学的情報記録媒体１上で微小スポットとなるように絞り込む。また、集光部３０３は、光学的情報記録媒体１からの反射光を検出する。すなわち、集光部３０３は、レーザ光を光学的情報記録媒体１上に集光させ、光学的情報記録媒体１によって反射されたレーザ光を受光する。回転部３０４は、例えばスピンドルモーターで構成され、光学的情報記録媒体１を回転させる。
【００４４】
トラッキング検出部３０５は、集光部３０３によって受光されたレーザ光に基づいてトラッキング信号を検出する。トラッキング検出部３０５は、ガイド領域１０１からの反射光に基づいてトラッキング信号を検出する。トラッキング維持部３０６は、トラッキング検出部３０５によって検出されたトラッキング信号に基づいてトラッキング位置を決定する。トラッキング維持部３０６は、ユーザ領域１０２においてトラッキング状態を保持する。
【００４５】
トラッキング制御部３０７は、トラッキング維持部３０６によって決定されたトラッキング位置にトラッキングするように集光部３０３を制御する。トラッキング制御部３０７は、ガイド領域１０１及びユーザ領域１０２において所定の位置でトラッキングするように集光部３０３を制御する。また、トラッキング制御部３０７は、レーザ光が照射されることにより形成される光スポットの中心を、記録トラックの中心からずらすように集光部３０３を制御する。記録部３０８は、情報のパターンに対応して、レーザ光が光学的情報記録媒体１に与える熱量を変化させて情報を記録する。記録部３０８は、記録情報に応じて光源３０２を駆動し、レーザ光のパワーを変調する。
【００４６】
なお、本実施の形態において、光学的情報記録装置３０１が光学的情報記録装置の一例に相当し、光源３０２が光源の一例に相当し、集光部３０３が集光部の一例に相当し、トラッキング検出部３０５がトラッキング検出部の一例に相当し、トラッキング維持部３０６がトラッキング位置決定部の一例に相当し、トラッキング制御部３０７がトラッキング制御部の一例に相当し、記録部３０８が記録部の一例に相当する。
【００４７】
次に、本実施の形態における記録時の動作について、図２、図８、図９（Ａ）〜図９（Ｅ）を用いて説明する。
【００４８】
記録時には、回転部３０４は、光学的情報記録媒体１を回転させる。光源３０２は、レーザ光を出射する。不図示のフォーカス制御部は、光学的情報記録媒体１の記録層にレーザ光が集束するように集光部３０３を制御する。集光部３０３は、光学的情報記録媒体１からの反射光に基づく信号をトラッキング検出部３０５に送る。
【００４９】
トラッキング検出部３０５は、上記の反射光に基づく信号から、例えばプッシュプル法を用いてトラッキングエラー信号を得る。上述のように、ガイド領域１０１におけるガイド溝１０３のピッチを記録トラック１０４のトラックピッチよりも広くし、レーザスポットで検出可能なピッチにしておけば、トラッキング検出部３０５は、ガイド領域１０１では容易にトラッキングエラー信号を得ることができる。
【００５０】
トラッキング維持部３０６は、ガイド領域１０１で得られたトラッキングエラー信号をもとに、ユーザ領域１０２におけるトラッキング位置を決定し、次のガイド領域１０１まで決定したトラッキング位置を保持する。このトラッキング維持部３０６が必要な理由は、ユーザ領域１０２にはガイド溝がなく、トラッキングエラー信号が得られないためである。ガイド溝１０３のピッチと記録トラック１０４のトラックピッチとは必ずしも一致しない。そのため、ユーザ領域１０２におけるトラッキング位置は、例えばガイド溝１０３におけるトラッキング位置から所定量のオフセットを加えることにより決定される。
【００５１】
特別な場合として、記録トラック１０４のトラックピッチがガイド溝１０３のピッチの半分である場合には、トラッキング維持部３０６は、ガイド溝１０３又はガイド溝１０３間のランドでトラッキングするように、トラッキング位置を決定すれば良い。この場合、トラッキング維持部３０６は、常に一定のオフセットを加えるだけで、ユーザ領域１０２におけるトラッキング位置を決定することが可能である。さらに、ガイド溝１０３の中心と記録トラック１０４の中心とを一致させ、ランドの中心と記録トラック１０４の中心とを一致させ、ランド及びガイド溝１０３の両方でトラッキングをする形態としても良い。この場合、ユーザ領域１０２におけるトラッキング位置はオフセットを加えなくとも決定できる。
【００５２】
トラッキング制御部３０７は、トラッキング維持部３０６で決定したトラッキング位置でトラッキングするように、集光部３０３のトラック直交方向（すなわち、光学的情報記録媒体１の半径方向）の位置を調整する。記録部３０８は、光源３０２のレーザ光のパワーを変調することにより、ユーザ領域１０２に記録マーク又はスペースを形成する。光学的情報記録媒体１の回転ごとに内周側記録トラックから外周側記録トラック（または外周側記録トラックから内周側記録トラック）に順次情報が記録されることで、瓦記録が行われる。
【００５３】
図９（Ａ）〜図９（Ｅ）は、上記述べたような動作で光学的情報記録媒体１に５トラック分の瓦記録が行われた場合の記録状態を示す図である。図９（Ａ）、図９（Ｂ）、図９（Ｃ）、図９（Ｄ）及び図９（Ｅ）は、本実施の形態において、それぞれ１、２、３、４及び５トラック目の記録トラックに情報が記録された後の状態を示す図である。
【００５４】
１トラック目の記録トラック１０４に対して情報が記録されると、図９（Ａ）に示すように記録マーク１０６を含む記録領域４０３が形成される。なお、レーザ光が照射されることにより形成される光スポットの中心１１１は、記録トラック１０４の中心１１２からずれている。
【００５５】
従来の動作と異なるのは、レーザ光が記録膜に与える熱量が大きいときでも、記録領域４０３が断熱領域１０５で制限されることである。これは、断熱領域１０５が存在することで、記録時の熱が断熱領域１０５を通して遠くに拡散することが抑制されるからである。
【００５６】
記録領域４０３の幅は、記録する情報のパターンによらずほぼ一定になる。したがって、図９（Ｂ）のように２トラック目の記録トラック１０４に対して情報が記録されても、隣接する１トラック目の記録トラック１０４の情報を書き換える幅は、トラック方向の位置にかかわらず一定となる。その結果、同じ符号長の記録マーク１０６は、最終的に同じ形状で形成できることになる。
【００５７】
例えば、図９（Ｃ）に示す３トラック目の記録トラック１０４に対して情報が記録される場合では、同じ符号長の最短記録マーク４０４が３個存在している。次に、４トラック目の記録トラック１０４に対して情報が記録された場合であっても、図９（Ｄ）に示すように３トラック目の記録トラック１０４における最短記録マーク４０４はすべて同じ形状となる。その結果、図９（Ｅ）のように、すべての記録マーク１０６は同じ幅だけ書き換えられることになる。ゆえに、再生信号処理系は、各記録マーク１０６の符号長を正確に認識でき、情報を正確に再生できることになる。
【００５８】
本実施の形態との比較のため、以下では従来の形態における記録動作について図１４（Ａ）〜図１４（Ｅ）を用いて説明する。
【００５９】
図１４（Ａ）〜図１４（Ｅ）は、従来の光学的情報記録媒体に５トラック分の瓦記録が行われた場合の記録状態を示す図である。図１４（Ａ）、図１４（Ｂ）、図１４（Ｃ）、図１４（Ｄ）及び図１４（Ｅ）は、従来において、それぞれ１、２、３、４及び５トラック目の記録トラックに情報が記録された後の状態を示す図である。
【００６０】
１トラック目の記録トラック６０１に対して情報が記録されると、図１４（Ａ）に示すように記録マーク６０２を含む記録領域６０３が形成される。記録領域６０３の幅（記録トラックに対して直角方向の長さ）は、記録する情報のパターンによって変化する。したがって、図１４（Ｂ）のように、２トラック目の記録トラック６０１に対して情報が記録されると、隣接する１トラック目の記録トラック６０１の情報を書き換える幅は、トラック方向の位置によって異なる。その結果、同じ符号長の記録マーク６０２であっても最終的に形成される記録マーク６０２の形状は異なる。
【００６１】
例えば、図１４（Ｃ）に示す３トラック目の記録トラック６０１に対して情報が記録される場合では、同じ符号長の最短記録マーク６０４が３個存在している。次に、４トラック目の記録トラック６０１に対して情報が記録されると、図１４（Ｄ）に示すように３トラック目の記録トラック６０１の最短記録マーク６０４は、それぞれ符号長が同じであるにもかかわらず、それぞれの記録マークの形状が異なってしまう。この現象は、すべての符号長の記録マークに対して生ずるので、図１４（Ｅ）のように、多数の異なる形状の記録マーク６０２が形成される。その結果、従来の形態では本実施の形態とは異なり、再生信号処理系は、各記録マーク６０２の符号長を正確に認識できず、情報を正確に再生できなかった。
【００６２】
以上述べたように、本実施の形態では、互いに隣接する記録トラック１０４の間に断熱領域１０５が形成され、互いに隣接する断熱領域１０５の間に記録マーク１０６が形成されるように瓦記録が行われる。これにより、隣接する記録トラック１０４の記録パターンの影響を受けて記録トラック１０４内の各記録マーク１０６が歪むことなく形成されるので、記録した情報が正確に再生でき、かつ、高密度の情報記録が可能になるという特別の効果を奏する。
【００６３】
すなわち、本実施の形態の光学的情報記録媒体１は、レーザ光が照射されることにより光感応性記録材料の光学的特性が変化して記録トラック１０４上に情報が記録される。光学的情報記録媒体１は、隣接する記録トラック１０４によって一部が上書きされて形成された記録トラック１０４を有する。このとき、本実施の形態の光学的情報記録媒体１は、同心円状又はスパイラル状の断熱領域１０５を備え、記録トラック１０４が断熱領域１０５の間に形成される。断熱領域１０５は、記録トラック１０４にレーザ光が照射されることにより発生する熱が、当該記録トラック１０４から隣接する記録トラック１０４へ伝達されないように、熱を遮断する。
【００６４】
この構成によって、記録膜に大きな熱量を与えて記録マークを形成したときにも、断熱領域１０５によって隣接する記録トラック１０４への熱伝導を制限できる。このため、符号長に対応した記録マークを正しく形成でき、情報を正確に再生することが可能となる。
【００６５】
また、本実施の形態の光学的情報記録媒体１において、断熱領域１０５の熱伝導率は、記録トラック１０４中の光感応性記録材料が存在する領域の熱伝導率よりも低くても良い。この構成によって、断熱領域１０５を容易に形成できる。
【００６６】
また、本実施の形態の光学的情報記録媒体１において、断熱領域１０５中の光感応性記録材料の組成及び／又は厚さは、レーザ光が照射されることにより発生する熱を遮断するように、記録トラック１０４中の光感応性記録材料の組成及び／又は厚さと異ならせても良い。この構成によって、実質的に熱伝導率が低い断熱領域１０５を容易に形成できる。
【００６７】
また、本実施の形態の光学的情報記録媒体１において、断熱領域１０５は光感応性記録材料を有しなくても良い。この構成によって、実質的に熱伝導率が低い断熱領域１０５を容易に形成できる。
【００６８】
また、本実施の形態の光学的情報記録媒体１において、断熱領域１０５の記録トラック方向に垂直な平面の断面形状は、凸形状又は凹形状であっても良い。この構成によって、実質的に熱伝導率が低い断熱領域１０５を容易に形成できる。
【００６９】
また、本実施の形態の光学的情報記録媒体１は反射膜を備えていても良い。このとき、断熱領域１０５中の反射膜の組成及び／又は厚さは、レーザ光が照射されることにより発生する熱を遮断するように、記録トラック１０４中の反射膜の組成及び／又は厚さと異ならせても良い。この構成によって、断熱領域１０５における断熱効果をさらに高めることができる。
【００７０】
また、本実施の形態の光学的情報記録媒体１は記録トラック１０４の方向に周期的にガイド領域１０１とユーザ領域１０２とを備えても良い。ここで、ユーザ領域１０２は、情報を記録及び／又は再生するための領域である。また、ガイド領域１０１は、ユーザ領域１０２上でレーザ光を走査する位置を決定する基準を得るための領域である。このとき、ガイド領域１０１のトラックピッチは、ユーザ領域１０２のトラックピッチよりも広くても良い。この構成によって、ユーザ領域１０２におけるトラッキングの基準を容易に決定できる。
【００７１】
また、本実施の形態の光学的情報記録媒体１においては、ガイド領域１０１のトラックピッチは、ユーザ領域１０２のトラックピッチの２倍であっても良い。この構成によって、ユーザ領域１０２におけるトラッキングの基準を特に容易に決定できる。
【００７２】
また、本実施の形態の光学的情報記録装置３０１は、レーザ光を発する光源３０２と、レーザ光を光学的情報記録媒体１上に集光させる集光部３０３と、トラッキング信号を検出するトラッキング検出部３０５と、トラッキングを保持するトラッキング維持部３０６と、所定の位置でトラッキングするように集光部３０３を制御するトラッキング制御部３０７と、情報のパターンに対応して、レーザ光が光学的情報記録媒体１に与える熱量を変化させて情報を記録する記録部３０８と、を備えている。
【００７３】
図１０は、本発明の実施の形態の第５の変形例における光学的情報記録媒体のユーザ領域の具体的な構成を示す図である。図１１は、図１０に示す光学的情報記録媒体の上面図である。
【００７４】
上述の本実施の形態では、断熱領域１０５は記録トラック１０４の間に形成される。しかしながら、図１０及び図１１に示すように、記録トラック１０４は、さらにトラック方向に所定の長さの記録単位５０１で複数の記録領域１０７に分割されても良く、ユーザ領域１０２は、それぞれの記録領域１０７の間に設けられ、レーザ光が照射されることにより発生する熱を遮断する断熱領域１０８を含んでも良い。この場合、記録マーク又はスペースは記録領域１０７ごとに形成される。
【００７５】
図１０において、記録膜２０１は、基板２０２上に設けられている。図１０では、記録膜２０１は、記録トラック１０４ごとに分離されるとともに、所定の長さの記録単位５０１で分離される。これにより、記録領域１０７、断熱領域１０５及び断熱領域１０８が形成される。
【００７６】
図１０及び図１１のような形態であれば、記録領域１０７間の熱伝導を抑制できるので、各記録領域１０７において記録マークを正確に形成できるというさらなる利点を有する。
【００７７】
なお、本実施の形態において、記録領域１０７が記録領域の一例に相当し、断熱領域１０８が第２の断熱領域の一例に相当する。
【００７８】
また、記録領域１０７を上方から見たときの形状は長方形に限定されない。記録領域１０７を上方から見たときの形状は、長方形の各頂点が丸くなった形状、正方形、円形、楕円形、三角形又は六角形などでも良い。トラック方向に互いに隣接する記録領域１０７の間に断熱領域１０８を形成するものであれば、記録領域１０７の上面がどんな形状であっても、各記録領域１０７において記録マークを正確に形成できる。
【００７９】
さらに、記録領域１０７の形状は、半球形状、半長球形状、円柱形状、長円柱形状又は四角柱形状であっても良い。
【００８０】
図１２（Ａ）は、記録領域の上面の形状が円形であり、かつ隣接する記録トラックの記録領域の中心が一致する場合の光学的情報記録媒体を示す上面図である。
【００８１】
図１２（Ａ）においても、図１１と同様に、記録領域１０７の間に断熱領域１０８が設けられている。特に、記録領域１０７の上面が円形であれば、記録領域１０７の大きさを１００ｎｍ以下に微小化した場合に、記録領域１０７を形成しやすいという利点がある。
【００８２】
また、図１２（Ａ）に示す光学的情報記録媒体では、ｎ番目の記録トラック１０４ａの各記録領域１０７の中心は、ｎ＋１番目の記録トラック１０４ｂの記録領域１０７の中心と一致する。
【００８３】
さらに、記録領域１０７及び断熱領域１０８の配列は、図１２（Ｂ）に示すような構成とすることがより好ましい。
【００８４】
図１２（Ｂ）は、記録領域の上面の形状が円形であり、かつ隣接する記録トラックの記録領域の中心が一致しない場合の光学的情報記録媒体を示す上面図である。
【００８５】
図１２（Ｂ）の構成では、ｎ番目の記録トラック１０４ａ（すなわち、上書きされて形成された記録トラック）の記録領域１０７の間の断熱領域１０８のトラック方向の中心１２１と、ｎ＋１番目の記録トラック１０４ｂ（すなわち、記録トラック１０４ａに隣接する記録トラック）の記録領域１０７の中心１２２とが、一致している。言い換えれば、ｎ番目の記録トラック１０４ａの記録領域１０７の間の断熱領域１０８のトラック方向の位置と、ｎ＋１番目の記録トラック１０４ｂの記録領域１０７のトラック方向の位置とが、一致している。
【００８６】
このような構成にすることにより、記録トラック間の断熱領域１０５の幅をさらに小さくすることが可能となり、より記録密度を高くすることができるという効果が得られる。その効果について、図１３（Ａ）及び図１３（Ｂ）を用いて説明する。
【００８７】
図１３（Ａ）は、図１２（Ａ）に示す光学的情報記録媒体において、隣接する記録トラックに瓦記録するときにレーザ光が最大の熱量を与える点と、上書きされて形成された記録トラックの記録領域との位置関係を説明するための図である。図１３（Ｂ）は、図１２（Ｂ）に示す光学的情報記録媒体において、隣接する記録トラックに瓦記録するときにレーザ光が最大の熱量を与える点と、上書きされて形成された記録トラックの記録領域との位置関係を説明するための図である。
【００８８】
隣接する記録トラック（すなわち、ｎ＋１番目の記録トラック１０４ｂ）の記録領域１０７において最も効率的に光学的変化を生じさせるためには、レーザ光が最大の光量を与える点１２３の位置と、対象とする記録領域１０７の中心位置とをトラック方向で一致させることが好ましい。図１３（Ａ）では、レーザ光が最大の光量を与える点１２３から、上書きされる記録トラック（すなわち、ｎ番目の記録トラック１０４ａ）の最も近い記録領域１０７の周縁の点１２４までを結ぶ線は記録トラックの方向に対して垂直となる。点１２３と点１２４との間の距離はｒ１で表される。
【００８９】
一方、図１３（Ｂ）では、レーザ光が最大の光量を与える点１２３から、上書きされる記録トラックの最も近い記録単位の周縁の点１２５までを結ぶ線は、記録トラックの方向に対して垂直ではない。点１２３と点１２５との間の距離はｒ２で表される。距離ｒ２は、距離ｒ１より大きい。
【００９０】
ここで、瓦記録が行われる際に等方的に熱が拡散し、図１３（Ａ）及び図１３（Ｂ）のトラックピッチが同じであるとする。この場合、隣接する記録トラックに情報を記録したときの上書きされた記録トラックへの熱的影響は、距離ｒ２が距離ｒ１より大きいため、図１３（Ｂ）の方が小さいことになる。従って、図１３（Ｂ）の構成では、図１３（Ａ）の構成よりも熱的影響が小さい分だけ、記録トラック間の断熱領域１０５の幅を小さくすることができる。その結果、記録トラック１０４のトラックピッチも小さくすることが可能となる。
【００９１】
なお、上記の実施の形態で用いた光学的情報記録媒体及び光学的情報記録装置の構成は上述に限るわけではなく、上記発明の構成及び効果を満たす範囲内で適切なものに変更することが可能である。
【００９２】
また、上記の実施の形態では、追記型又は書換型の光学的情報記録媒体の記録材料として相変化材料を用いているが、本発明は特にこれに限るものではなく、色素材料又は光磁気材料等の、レーザ光の熱エネルギーを用いて記録マークを形成できる記録材料であれば、いずれも適用することができる。
【００９３】
さらに、上記の光学的情報記録媒体又は光学的情報記録装置を用いたパーソナルコンピュータ、サーバー、レコーダー又は半導体素子でも上述と同様の効果を得ることができる。
【００９４】
なお、上述した具体的実施形態には以下の構成を有する発明が主に含まれている。
【００９５】
本発明の一局面に係る光学的情報記録媒体は、レーザ光が照射されることにより光感応性記録材料の光学的特性が変化して情報が記録されるユーザ領域を備え、前記ユーザ領域は、記録マークの一部が上書きされることにより情報が記録される記録トラックと、同心円状又はスパイラル状であり、前記レーザ光が照射されることにより発生する熱を遮断する第１の断熱領域とを含み、前記第１の断熱領域は、前記記録トラックの間に形成される。
【００９６】
この構成によれば、ユーザ領域において、レーザ光が照射されることにより光感応性記録材料の光学的特性が変化して情報が記録される。そして、記録トラックは、記録マークの一部が上書きされることにより情報が記録される。第１の断熱領域は、同心円状又はスパイラル状であり、レーザ光が照射されることにより発生する熱を遮断する。第１の断熱領域は、記録トラックの間に形成される。
【００９７】
したがって、隣接する記録トラックに記録マークが形成される際にレーザ光が照射されることにより発生する熱が既に記録マークが形成されている記録トラックに伝達するのを抑制することができるので、光学的情報記録に瓦記録を適用した場合でも、符号長に対応した記録マークを正しく形成することができ、情報を正確に再生することができる。
【００９８】
また、上記の光学的情報記録媒体において、前記レーザ光が照射されることにより形成される光スポットの中心は、前記記録トラックの中心からずれていることが好ましい。
【００９９】
この構成によれば、レーザ光が照射されることにより形成される光スポットの中心は、記録トラックの中心からずれているので、瓦記録によって情報を記録することができ、記録密度を増大させることができる。
【０１００】
また、上記の光学的情報記録媒体において、前記第１の断熱領域の熱伝導率は、前記記録トラック中の前記光感応性記録材料が存在する領域の熱伝導率よりも低いことが好ましい。
【０１０１】
この構成によれば、第１の断熱領域の熱伝導率は、記録トラック中の光感応性記録材料が存在する領域の熱伝導率よりも低いので、第１の断熱領域を容易に形成することができる。
【０１０２】
また、上記の光学的情報記録媒体において、前記第１の断熱領域中の前記光感応性記録材料の組成及び／又は厚さは、前記レーザ光が照射されることにより発生する熱を遮断するように、前記記録トラック中の前記光感応性記録材料の組成及び／又は厚さと異なることが好ましい。
【０１０３】
この構成によれば、第１の断熱領域中の光感応性記録材料の組成及び／又は厚さは、レーザ光が照射されることにより発生する熱を遮断するように、記録トラック中の光感応性記録材料の組成及び／又は厚さと異なるので、実質的に熱伝導率が低い領域を容易に形成することができる。
【０１０４】
また、上記の光学的情報記録媒体において、前記第１の断熱領域は前記光感応性記録材料を有しないことが好ましい。この構成によれば、第１の断熱領域は光感応性記録材料を有しないので、実質的に熱伝導率が低い領域を容易に形成することができる。
【０１０５】
また、上記の光学的情報記録媒体において、前記第１の断熱領域の記録トラック方向に垂直な平面の断面形状は、凸形状又は凹形状であることが好ましい。この構成によれば、第１の断熱領域の記録トラック方向に垂直な平面の断面形状は、凸形状又は凹形状であるので、実質的に熱伝導率が低い領域を容易に形成することができる。
【０１０６】
また、上記の光学的情報記録媒体において、前記第１の断熱領域及び前記記録トラックは、前記レーザ光を反射する反射膜を含み、前記第１の断熱領域中の前記反射膜の組成及び／又は厚さは、前記レーザ光が照射されることにより発生する熱を遮断するように、前記記録トラック中の前記反射膜の組成及び／又は厚さと異なることが好ましい。
【０１０７】
この構成によれば、第１の断熱領域及び記録トラックは、レーザ光を反射する反射膜を含む。そして、第１の断熱領域中の反射膜の組成及び／又は厚さは、レーザ光が照射されることにより発生する熱を遮断するように、記録トラック中の反射膜の組成及び／又は厚さと異なる。したがって、第１の断熱領域における断熱効果をさらに高めることができる。
【０１０８】
また、上記の光学的情報記録媒体において、前記記録トラックは、所定の長さの記録単位で複数の記録領域に分割され、前記ユーザ領域は、前記複数の記録領域の各記録領域の間に設けられ、前記レーザ光が照射されることにより発生する熱を遮断する第２の断熱領域をさらに含むことが好ましい。
【０１０９】
この構成によれば、記録トラックは、所定の長さの記録単位で複数の記録領域に分割される。そして、ユーザ領域は、複数の記録領域の各記録領域の間に設けられ、レーザ光が照射されることにより発生する熱を遮断する第２の断熱領域をさらに含む。
【０１１０】
したがって、トラック方向に垂直な方向に隣接する記録領域だけでなく、トラック方向に隣接する記録領域に、熱が伝達するのを抑制することができる。
【０１１１】
また、上記の光学的情報記録媒体において、前記記録トラックは、第１の記録トラックと、前記第１の記録トラックに隣接する第２の記録トラックとを含み、前記第１の記録トラックの各記録領域の間に設けられた前記第２の断熱領域の記録トラック方向の位置の中心は、前記第２の記録トラックの前記記録領域の中心と一致することが好ましい。
【０１１２】
この構成によれば、第１の記録トラックの各記録領域の間に設けられた第２の断熱領域の記録トラック方向の位置の中心は、第１の記録トラックに隣接する第２の記録トラックの記録領域の中心と一致する。
【０１１３】
したがって、第１の断熱領域の幅をより狭めることができ、記録密度を増大させることができる。
【０１１４】
また、上記の光学的情報記録媒体において、前記光学的情報記録媒体は、前記ユーザ領域上における前記レーザ光の走査位置をガイドするためのガイドトラックを含むガイド領域をさらに備え、前記ユーザ領域と前記ガイド領域とは、前記記録トラックの方向に周期的に形成され、前記ガイドトラックのトラックピッチは、前記記録トラックのトラックピッチよりも広いことが好ましい。
【０１１５】
この構成によれば、光学的情報記録媒体は、ユーザ領域上におけるレーザ光の走査位置をガイドするためのガイドトラックを含むガイド領域をさらに備える。そして、ユーザ領域とガイド領域とは、記録トラックの方向に周期的に形成される。ガイドトラックのトラックピッチは、記録トラックのトラックピッチよりも広い。
【０１１６】
したがって、ガイド領域においてトラッキング位置を決定することにより、ユーザ領域におけるトラッキングの基準位置を容易に決定することができる。
【０１１７】
また、上記の光学的情報記録媒体において、前記ガイドトラックのトラックピッチは、前記記録トラックのトラックピッチの２倍であることが好ましい。
【０１１８】
この構成によれば、ガイドトラックのトラックピッチは、記録トラックのトラックピッチの２倍であるので、ユーザ領域におけるトラッキングの基準位置を容易に決定することができる。
【０１１９】
本発明の他の局面に係る光学的情報記録装置は、光学的情報記録媒体に情報を記録する光学的情報記録装置であって、レーザ光を発する光源と、前記レーザ光を前記光学的情報記録媒体上に集光させ、前記光学的情報記録媒体によって反射された前記レーザ光を受光する集光部と、前記集光部によって受光された前記レーザ光に基づいてトラッキング信号を検出するトラッキング検出部と、前記トラッキング検出部によって検出された前記トラッキング信号に基づいてトラッキング位置を決定するトラッキング位置決定部と、前記トラッキング位置決定部によって決定された前記トラッキング位置にトラッキングするように前記集光部を制御するトラッキング制御部と、前記情報のパターンに対応して、前記レーザ光が前記光学的情報記録媒体に与える熱量を変化させて前記情報を記録する記録部とを備え、前記光学的情報記録媒体は、前記レーザ光が照射されることにより光感応性記録材料の光学的特性が変化して情報が記録されるユーザ領域を備え、前記ユーザ領域は、記録マークの一部が上書きされることにより情報が記録される記録トラックと、同心円状又はスパイラル状であり、前記レーザ光が照射されることにより発生する熱を遮断する第１の断熱領域とを含み、前記第１の断熱領域は、前記記録トラックの間に形成される。
【０１２０】
この構成によれば、光源は、レーザ光を発する。集光部は、レーザ光を光学的情報記録媒体上に集光させ、光学的情報記録媒体によって反射されたレーザ光を受光する。トラッキング検出部は、集光部によって受光されたレーザ光に基づいてトラッキング信号を検出する。トラッキング位置決定部は、トラッキング検出部によって検出されたトラッキング信号に基づいてトラッキング位置を決定する。トラッキング制御部は、トラッキング位置決定部によって決定されたトラッキング位置にトラッキングするように集光部を制御する。記録部は、情報のパターンに対応して、レーザ光が光学的情報記録媒体に与える熱量を変化させて情報を記録する。光学的情報記録媒体は、レーザ光が照射されることにより光感応性記録材料の光学的特性が変化して情報が記録されるユーザ領域を備える。ユーザ領域において、レーザ光が照射されることにより光感応性記録材料の光学的特性が変化して情報が記録される。そして、記録トラックは、記録マークの一部が上書きされることにより情報が記録される。第１の断熱領域は、同心円状又はスパイラル状であり、レーザ光が照射されることにより発生する熱を遮断する。第１の断熱領域は、記録トラックの間に形成される。
【０１２１】
したがって、隣接する記録トラックに記録マークが形成される際にレーザ光が照射されることにより発生する熱が既に記録マークが形成されている記録トラックに伝達するのを抑制することができるので、光学的情報記録に瓦記録を適用した場合でも、符号長に対応した記録マークを正しく形成することができ、情報を正確に再生することができる。
【０１２２】
また、上記の光学的情報記録装置において、前記トラッキング制御部は、前記レーザ光が照射されることにより形成される光スポットの中心を、前記記録トラックの中心からずらすように集光部を制御することが好ましい。
【０１２３】
この構成によれば、レーザ光が照射されることにより形成される光スポットの中心が、記録トラックの中心からずれるので、瓦記録によって情報を記録することができ、記録密度を増大させることができる。
【０１２４】
また、上記の光学的情報記録装置において、前記記録トラックは、所定の長さの記録単位で複数の記録領域に分割され、前記ユーザ領域は、前記複数の記録領域の各記録領域の間に設けられ、前記レーザ光が照射されることにより発生する熱を遮断する第２の断熱領域をさらに含むことが好ましい。
【０１２５】
この構成によれば、記録トラックは、所定の長さの記録単位で複数の記録領域に分割される。そして、ユーザ領域は、複数の記録領域の各記録領域の間に設けられ、レーザ光が照射されることにより発生する熱を遮断する第２の断熱領域をさらに含む。
【０１２６】
したがって、トラック方向に垂直な方向に隣接する記録領域だけでなく、トラック方向に隣接する記録領域に、熱が伝達するのを抑制することができる。
【０１２７】
また、上記の光学的情報記録装置において、前記記録トラックは、第１の記録トラックと、前記第１の記録トラックに隣接する第２の記録トラックとを含み、前記第１の記録トラックの各記録領域の間に設けられた前記第２の断熱領域の記録トラック方向の位置の中心は、前記第２の記録トラックの前記記録領域の中心と一致することが好ましい。
【０１２８】
この構成によれば、第１の記録トラックの各記録領域の間に設けられた第２の断熱領域の記録トラック方向の位置の中心は、第１の記録トラックに隣接する第２の記録トラックの記録領域の中心と一致する。
【０１２９】
したがって、第１の断熱領域の幅をより狭めることができ、記録密度を増大させることができる。
【０１３０】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１３１】
本発明に係る光学的情報記録媒体及び光学的情報記録装置は、光学的情報記録に瓦記録を適用した場合でも、符号長に対応した記録マークを正しく形成することができ、情報を正確に再生することができる。これは特に、高密度の光学的情報記録媒体として有用である。
【図１】
2012114710.tif 000003
【図２】
2012114710.tif 000004
【図３】
2012114710.tif 000005
【図４】
2012114710.tif 000006
【図５】
2012114710.tif 000007
【図６】
2012114710.tif 000008
【図７】
2012114710.tif 000009
【図８】
2012114710.tif 000010
【図９】
2012114710.tif 000011
【図１０】
2012114710.tif 000012
【図１１】
2012114710.tif 000013
【図１２】
2012114710.tif 000014
【図１３】
2012114710.tif 000015
【図１４】
2012114710.tif 000016
【国際調査報告】
2012114710.tif 000017
2012114710.tif 000018